(57)【特許請求の範囲】
【請求項１】
加熱機器の少なくとも前面を遮へいし、上下動することで開閉自在に配設された光透過性の遮へい体と、
外気を前記加熱機器に向けて供給して、前記加熱機器上部の空気を外部に排出する供給排出手段と、
前記遮へい体の加熱機器側の面に接触し、前記遮へい体が上下動することで、前記遮へい体の面に付着した付着物を拭き取る払拭体と、を備え、
前記供給排出手段は、前記加熱機器の背面側に配設され、外気を前記加熱機器に向けて供給する外気取入手段と、前記加熱機器の上方に配設され、前記加熱機器上部の空気を外部に排出する排気手段と、を備える、
ことを特徴とする調理場の換気装置。
【請求項２】
前記遮へい体が閉じられた状態で、所定の時間が経過したという条件、前記加熱機器側の温度が所定の温度に達したという条件、および、前記加熱機器側で所定のにおいが検知されたという条件のうち、少なくとも１つの条件を満たす場合に、警報を発する警報手段を備えることを特徴とする請求項１に記載の調理場の換気装置。
【請求項３】
前記遮へい体が閉じられた状態で、所定の時間が経過したという条件、前記加熱機器側の温度が所定の温度に達したという条件、および、前記加熱機器側で所定のにおいが検知されたという条件のうち、少なくとも１つの条件を満たす場合に、前記加熱機器による加熱を停止する停止手段を備えることを特徴とする請求項１に記載の調理場の換気装置。
【請求項４】
前記遮へい体は変形自在であることを特徴とする請求項１に記載の調理場の換気装置。
【発明の詳細な説明】
【技術分野】
【０００１】
この発明は、調理場（キッチン）の換気装置に関する。
【背景技術】
【０００２】
調理場で調理を行う場合、ガスレンジやＩＨ（Ｉｎｄｕｃｔｉｏｎ  Ｈｅａｔｉｎｇ、電磁誘導加熱式）クッキングヒータなどの加熱機器や調理物からの熱が調理者に伝わり、特に夏季では、調理者に不快感を与える。また、調理によるにおいが調理場から居間などに流れ込み、居間にいる来客者などににおいを与えることがある。このようなことから、調理による熱やにおい、さらには燃焼排ガスなどの不快、有害物質を含む空気（以下、適宜、「調理空気」という）をできるだけ遮断するようにした換気装置が開発されている。
【０００３】
例えば、レンジフードの側面から延出した延長ダクトの先端部に、回転自在な子換気ダクトを備えた換気装置が知られている（例えば、特許文献１参照。）。この換気装置によれば、子換気ダクトを鍋やフライパンなどの上方に位置させることで、油煙などにより汚れた空気や湿った空気などを室外に排出することができる、というものである。
【０００４】
また、エアーカーテンをガス台周りに形成するようにしたガス台周りが知られている（例えば、特許文献２参照。）。このガス台周りは、排気フードの上側に給気装置と排気装置とが配設され、給気装置によって外気をガス台の下側に導入し、導入した外気を排気装置によってガス台周りから室外に導くことで、ガス台周りにエアーカーテンを形成し、調理空気を遮断する、というものである。
【０００５】
さらに、サイクロン状に煙霧や油水ミストなどを吸い込む換気装置が知られている（例えば、特許文献３参照。）。この換気装置は、加熱手段を備えた調理台の上方にノズルプレートが配設され、このノズルプレートには、加熱手段と対向して丸孔が形成され、この丸孔に下部排気パイプが接続されている。下部排気パイプは、フィルタボックスを介して上部排気パイプに接続され、上部排気パイプは、その上端が建物ビームに固定された状態で排気ダクトに接続されている。さらに、下部排気パイプの下端部には、直径が徐々に下端に向けて拡大する喇叭状に形成されたノズルリングが設けられている。そして、喇叭状のノズルリングによってサイクロン現象が発生し、瞬時に煙霧や油水ミストなどが吸い込まれる、というものである。
【発明の開示】
【発明が解決しようとする課題】
【０００６】
ところで、特許文献１に記載された換気装置では、子換気ダクトを鍋やフライパンなどの上に位置させることで、効率的に鍋などからのにおいを排出することはできるが、熱を遮断することはできない。また、複数の鍋やフライパンなどからの空気を同時に排気するには、複数の子換気ダクトを要して構成が複雑になり、さらには、子換気ダクトが回動すべき領域が広いため、故障や動作不良を起こすおそれがある。
【０００７】
また、特許文献２に記載されたガス台周りでは、エアーカーテンを形成するために複雑なダクト機構を要し、しかも、給気装置や排気装置の保守、交換に多大な労力と時間とをする。さらに、特許文献３に記載された換気装置では、装置の機構、構成が複雑で大掛かりであり、上部排気パイプを建物ビームに固定するなど、特別な配慮が必要となる。このため、家庭の調理場に配設するには、困難な場合が多いと考えられ、汎用性に欠ける。また、特許文献１〜３に記載された技術では、調理空気が雰囲気空気と直接接触するため、両空気の混合や、不快、有害物質の拡散が避けられない。
【０００８】
そこでこの発明は、調理による調理空気を効果的に遮断することが可能で、しかも構成が簡易な調理場の換気装置を提供することを目的とする。
【課題を解決するための手段】
【０００９】
上記目的を達成するために請求項１に記載の発明は、加熱機器の少なくとも前面を遮へいして上下動することで開閉自在に配設された光透過性の遮へい体と、外気を前記加熱機器に向けて供給して前記加熱機器上部の空気を外部に排出する供給排出手段と、前記遮へい体の加熱機器側の面に接触して前記遮へい体が上下動することで前記遮へい体の面に付着した付着物を拭き取る払拭体と、を備え、前記供給排出手段は、前記加熱機器の背面側に配設されて外気を前記加熱機器に向けて供給する外気取入手段と、前記加熱機器の上方に配設されて前記加熱機器上部の空気を外部に排出する排気手段と、を備える、ことを特徴とする調理場の換気装置である。
【００１０】
この発明によれば、遮へい体を閉じることで少なくとも加熱機器の前面が遮へいされ、この状態で、供給排出手段によって外気（加熱、調理に必要な空気）が加熱機器に向けて供給され、加熱機器上部の空気が外部に排出される。つまり、遮へい体よりも加熱機器側において空気の循環が行われる。また、外気取入手段によって加熱機器の背面側から加熱機器に向けて外気が供給され、排気手段によって加熱機器上部の空気が加熱機器の上方から外部に排出される。
【００１６】
請求項２に記載の発明は、請求項１に記載の調理場の換気装置において、前記遮へい体が閉じられた状態で、所定の時間が経過したという条件、前記加熱機器側の温度が所定の温度に達したという条件、および、前記加熱機器側で所定のにおいが検知されたという条件のうち、少なくとも１つの条件を満たす場合に、警報を発する警報手段を備えることを特徴とする。
【００１７】
この発明によれば、遮へい体が閉じられた状態で、所定の時間が経過したり、加熱機器側の温度が所定の温度に達したり、あるいは、加熱機器側で所定のにおいが検知されたりすると、警報手段によって警報が発せられる。
【００１８】
請求項３に記載の発明は、請求項１に記載の調理場の換気装置において、前記遮へい体が閉じられた状態で、所定の時間が経過したという条件、前記加熱機器側の温度が所定の温度に達したという条件、および、前記加熱機器側で所定のにおいが検知されたという条件のうち、少なくとも１つの条件を満たす場合に、前記加熱機器による加熱を停止する停止手段を備えることを特徴とする。
【００１９】
この発明によれば、遮へい体が閉じられた状態で、所定の時間が経過したり、加熱機器側の温度が所定の温度に達したり、あるいは、加熱機器側で所定のにおいが検知されたりすると、停止手段によって加熱機器による加熱が停止される。
【００２０】
請求項４に記載の発明は、請求項１に記載の調理場の換気装置において、前記遮へい体は変形自在であることを特徴とする。
【発明の効果】
【００２２】
請求項１に記載の発明によれば、遮へい体を閉じることで、加熱機器側から発せられる調理による調理空気を効果的に遮断することができ、調理者に熱による不快感を与えたり、においが室内側に流れ込むのを防止できる。また、遮へい体を閉じた状態で、加熱機器側において空気の循環が行われるため、室内側に調理空気が放出されにくくなり、調理空気をより効果的に遮断することができる。しかも、調理空気に含まれる燃焼排ガスが漏洩しないため、外気取入量が少なく、排気ファンなどの供給排出手段を小型化して動力費を低減することが可能となる。また、遮へい体と供給排出手段とを備えるだけでよいため、構成が簡易で、業務用、家庭用のいずれの調理場にも適用、配設することが可能となる。また、外気取入手段を既設のガラリなどで構成し、排気手段を既設の排気系統（フードや排気ファンなど）で構成することが可能であり、既設の設備に遮へい体を設けるだけで、本換気装置を構築することが可能となる。さらに、遮へい体の加熱機器側の面に付着した油や水などの付着物が払拭体によって拭き取られ、付着物の飛散が防止されるとともに、飛散によるにおいの拡散を防止できる。
【００２６】
請求項２および３に記載の発明によれば、遮へい体が閉じられた状態で、所定の時間が経過したり、加熱機器側の温度が所定の温度に達したり、あるいは、加熱機器側で所定のにおいが検知されたりすると、警報が発せられ、あるいは加熱機器による加熱が停止されるため、過熱による煮こぼれや火災などを防止することが可能となる。
【００２７】
請求項４に記載の発明によれば、遮へい体が変形自在であるため、例えば、加熱機器側からフライパンの取っ手などが突出している場合でも、取っ手に沿って遮へい体を変形させることで、加熱機器の前面などを適切に遮へいすることができる。
【発明を実施するための最良の形態】
【００２９】
以下、この発明を図示の実施の形態に基づいて説明する。
【００３０】
（実施の形態１）
図１は、この実施の形態に係る調理場の換気装置（以下、適宜「換気装置」という）１を示す正面図であり、図２は、その左側面図（一部断面）である。この換気装置１は、調理場の周辺を換気する装置であり、主として、外気取入設備（外気取入手段）２と、排気設備（排気手段）３と、遮へい板（遮へい体）４と、ロールタオル（払拭体）５と、図４に示す安全設備（警報手段、停止手段）６とを備えている。また、この実施の形態では、調理台（フロアキャビネット）１００の右側にレンジ（加熱機器）１０１が配設され、このレンジ１０１の下方にグリル（加熱機器）１０２が配設されている。さらに、加熱機器１０１、１０２の熱源はガスで、調理台１００の右端は側壁Ｗ１に接し、調理台１００の背面は正面壁Ｗ２に接し、正面壁Ｗ２の他面は屋外に面している。
【００３１】
外気取入設備２は、加熱機器１０１、１０２の背面側、つまり正面壁Ｗ２側に配設され、ガラリ２１と外気取入ケーシング２２とから構成されている。ガラリ２１は、正面壁Ｗ２に形成された通気口であり、このガラリ２１に対向して外気取入ケーシング２２の一端部が接続され、外気取入ケーシング２２の他端部は、外気（大気）に臨んで配設されている。そして、外気取入ケーシング２２の他端部から吸入された外気がガラリ２１を介して、加熱機器１０１、１０２に向けて供給されるようになっている。また、ガラリ２１は、開閉自在となっている。
【００３２】
排気設備３は、レンジ１０１の上方に配設され、レンジフード３１と、排気ケーシング３２と、換気扇などの排気ファン３３とから構成されている。レンジフード３１は、その開口３１ａがレンジ１０１と対向するように配設され、レンジフード３１の背面側に排気ケーシング３２の一端部が接続されている。さらに、排気ケーシング３２内の一端部側には排気ファン３３が配設され、排気ケーシング３２の他端部は、外気（大気）に臨んで配設されている。そして、排気ファン３３の回転によって、加熱機器１０１、１０２上部の空気がレンジフード３１を介して排気ケーシング３２に導かれ、排気ケーシング３２を通って大気中（外部）に排出されるようになっている。このように、外気取入設備２と排気設備３とによって供給排出手段が構成され、外気取入設備２によって外気が加熱機器１０１、１０２に向けて供給され、加熱機器１０１、１０２上部の空気が排気設備３によって外部に排出されるようになっている。また、この実施の形態の外気取入ケーシング２２と排気ケーシング３２は、正面壁Ｗ２に形成された開口で、外壁面で雨よけの覆いで覆われている。
【００３３】
この遮へい板４は、透明な耐火ガラス板で構成され、上下動することで開閉自在となっている。すなわち、レンジフード３１の前面上部に巻き取り箱４１が取り付けられ、この巻き取り箱４１からのワイヤ４２の一端部が遮へい板４の上端部に接続されている。そして、遮へい板４を下方に動かすとワイヤ４２が伸び（展開し）、任意の位置で離すと遮へい板４がその位置で停止する。さらに、この状態から遮へい板４を下に引っ張って離すと、ワイヤ４２が巻き取り箱４１内に巻き取られ、遮へい板４が上方に移動するものである。また、レンジフード３１の前面左右端には、上下方向に伸びるガイドレール４３が配設され、このガイドレール４３に遮へい板４の両側部が装着され、ガイドレール４３によって遮へい板４が上下方向に案内されるようになっている。
【００３４】
このような遮へい板４が、加熱機器１０１、１０２の前面側（調理者Ｍと対向する面側）と左側面側とに配設されている。すなわち、前面側の遮へい板４の巻き取り箱４１がレンジフード３１の前面に取り付けられ、左側面側の遮へい板４の巻き取り箱４１がレンジフード３１の左側面に取り付けられている。また、前面側の遮へい板４の幅は、加熱機器１０１、１０２の幅よりも大きく、レンジフード３１の幅とほぼ同寸法に設定され、左側面側の遮へい板４の幅は、加熱機器１０１、１０２の奥行きよりも大きく、レンジフード３１の奥行きとほぼ同寸法に設定されている。さらに、前面側の遮へい板４の長さ（展開長さ）は、グリル１０２の下方にまで達するように設定され、左側面側の遮へい板４の長さは、調理台１００の天板１００ａに達するように設定されている。そして、２つの遮へい板４を閉じることで、加熱機器１０１、１０２の上方の前面側と左側面側とを遮へいし（覆い）、加熱機器１０１、１０２の上方の空間が遮へい板４と壁Ｗ１、Ｗ２とで囲まれる（外部と仕切られる）ようになっている。
【００３５】
ロールタオル５は、遮へい板４の加熱機器１０１、１０２側の面に接触して、この面に付着した油や水などの付着物を拭き取るものである。すなわち、ロールタオル５はタオル布で構成された筒体で、図３に示すように、筒内に支持バー５１が挿入されている。この支持バー５１は、一方の端部（図中左端部）が、レンジフード３１に配設された一方のアーム３４に回動自在に配設され、他方の端部が、他方のアーム３４に形成されたフック３４ａに係止可能となっている。そして、他端部をフック３４ａから外して支持バー５１を回動させ、支持バー５１を縦方向に向けることで、ロールタオル５を支持バー５１から取り外して交換などできるようになっている。また、支持バー５１の他端部をフック３４ａに係止して、支持バー５１を水平に位置させた状態では、ロールタオル５が遮へい板４の加熱機器１０１、１０２側の面に接触し、遮へい板４が上下動することで、遮へい板４に付着した付着物がロールタオル５によって拭き取られるものである。
【００３６】
安全設備６は、図４に示すように、タイマセンサ６１と、においセンサ６２と、温度センサ６３と、遮断弁６４と、スピーカ６５と、ＣＰＵ（Ｃｅｎｔｒａｌ  Ｐｒｏｃｅｓｓｉｎｇ  Ｕｎｉｔ）６６とを備えている。タイマセンサ６１は、遮へい板４の開閉を検知するセンサであり、図１、２に示すように、レンジ１０１直下の調理台１００の前面１００ｂに配設されている。そして、遮へい板４が閉じられたことを検知すると、その検知信号をＣＰＵ６６に伝送し、これを受けてＣＰＵ６６はタイマをカウントする。また、この状態で、遮へい板４が開けられたことを検知すると、その検知信号をＣＰＵ６６に伝送し、これを受けてＣＰＵ６６はタイマのカウントを解除（クリア）するようになっている。
【００３７】
においセンサ６２は、においを検知するセンサであり、図２に示すように、レンジフード３１の開口３１ａ近くの裏面に配設され、加熱機器１０１、１０２側のにおいを検知するものである。このにおいセンサ６２は、調理物などから発せられる焦げや煙のにおいなどを検知できれば、その種類や構造を問わないが、この実施の形態では、空気中の炭化水素系化合物などの濃度の変化をにおいの度合いとして数値化し、においだけではなく可燃性ガスや煙なども検知できるタイプのセンサを使用している。そして、予め定められた数値以上のにおいを検知すると、その検知信号をＣＰＵ６６に伝送するようになっている。
【００３８】
温度センサ６３は、温度を測定するセンサであり、図２に示すように、においセンサ６２の近くに配設され、加熱機器１０１、１０２側の温度を測定するものである。そして、測定した温度が、予め定められた温度以上に達すると、その検知信号をＣＰＵ６６に伝送するようになっている。
【００３９】
遮断弁６４は、外部から開閉制御自在な制御弁で、ガス源１０３から加熱機器１０１、１０２にガスを供給するガス管１０４に設置されている。そして、常時は「開」状態となっており、ＣＰＵ６６からの制御指令を受けると閉じて、加熱機器１０１、１０２へのガスの供給を遮断する、つまり、加熱機器１０１、１０２による加熱を停止するようになっている。
【００４０】
スピーカ６５は、音源を備え、図１に示すように、タイマセンサ６１の下方の調理台１００の前面１００ｂに配設されている。そして、ＣＰＵ６６からの発信指令を受けると、警報音を発するようになっている。
【００４１】
ＣＰＵ６６は、各センサ６１〜６３からの検知信号などに基づいて、遮断弁６４やスピーカ６５を制御するものである。すなわち、次の３つの条件のうち、少なくとも１つの条件を満たす場合に、遮断弁６４に制御指令を送り遮断弁６４を閉じさせるとともに、スピーカ６５に発信指令を送り警報音を発生させる。
第１の条件：遮へい板４が閉じられた状態で、所定の時間が経過した場合
つまり、上記のカウントが予め定めたカウント値に達した場合
第２の条件：遮へい板４が閉じられた状態で、加熱機器１０１、１０２側の温度が
所定の温度に達した場合
つまり、温度センサ６３から上記の検知信号を受信した場合
第３の条件：遮へい板４が閉じられた状態で、加熱機器１０１、１０２側で所定の
においが検知された場合
つまり、においセンサ６２から上記の検知信号を受信した場合
ここで、この実施の形態では、３つの条件のうちの少なくとも１つの条件を満たす場合に、ガスの供給を遮断し、警報音を発するようにしているが、複数の条件を満たす場合に、ガスの供給を遮断したり、警報音を発するようにしてもよい。また、ある条件を満たす場合には、警報音のみを発し、さらに他の条件を満たす場合に、ガスの供給を遮断するようにしてもよい。さらには、上記の３つの条件のうち、少なくとも１つの条件を満たす場合に警報音を発し、その後、所定の時間が経過した場合に、ガスの供給を遮断するようにしてもよい。
【００４２】
次に、このような構成の換気装置１の動作、作用について説明する。
【００４３】
まず、ガラリ２１を開けて排気ファン３３を稼動させた状態で、レンジ１０１やグリル１０２を使って調理を行い、煮込んだり焼いたりするために時間を要する場合には、調理による熱やにおい、燃焼排ガスなどの調理空気を遮断するために、上記のようにして遮へい板４を閉じる。このとき、グリル１０２を使用している場合には、遮へい板４をグリル１０２の下側まで下げる。この状態では、外気取入設備２によって外気がレンジ１０１やグリル１０２に供給され、加熱機器１０１、１０２上部の空気、つまり、調理による調理空気は排気設備３によって外部に排出される。さらに、上記のように、加熱機器１０１、１０２の上方の空間の四面が遮へい板４と壁Ｗ１、Ｗ２とで囲まれているため、調理による調理空気が遮断され、調理者Ｍや室内側には伝わりにくく、加熱機器１０１、１０２側において空気の循環が行われる。
【００４４】
このようして調理が進み、遮へい板４を閉じたまま所定の時間が経過すると、上記のようにしてガスの供給が遮断され、警報音が発せられる。また、加熱機器１０１、１０２側の温度が所定の温度に達した場合にも、ガスの供給が遮断され、警報音が発せられる。さらには、加熱機器１０１、１０２側で所定のにおいが検知された場合にも、ガスの供給が遮断され、警報音が発せられる。このようにして、遮へい板４を閉じていることにより、加熱機器１０１、１０２側の状態を正確に把握できない場合であっても、時間や温度やにおいの異常に基づいて、ガスの供給が遮断され、警報音が発せられる。
【００４５】
続いて、調理が進んだ場合には、上記のようにして遮へい板４を開ける。このとき、上記のようにして、遮へい板４に付着した付着物がロールタオル５によって拭き取られる。次に、調理の状態を確認し、調理が完了している場合には、加熱機器１０１、１０２を止めて鍋などを取り出す。そして、再び遮へい板４を閉じ、ガラリ２１を閉じた状態で、排気ファン３３の稼動を継続する。これにより、調理台１００の前面１００ｂと遮へい板４との隙間のみから空気が加熱機器１０１、１０２側に流入し、加熱機器１０１、１０２の上方に滞留していたにおいや熱などが、効率的にレンジフード３１を介して排気ケーシング３２から外部に排出される。
【００４６】
以上のように、この換気装置１によれば、遮へい板４によって調理による調理空気を効果的に遮断し、調理空気を効果的に外部に排出することができる。しかも、遮へい板４が耐火ガラス板から構成されているため、調理による調理空気をより効果的に遮断することが可能となる。また、遮へい板４を閉じた状態で時間や温度やにおいに異常が生じた場合でも、安全設備６を備えているため、上記のようにしてガスの供給が遮断され、警報音が発せられて、過熱による煮こぼれや火災などを防止することが可能となる。
【００４７】
さらに、遮へい板４に付着した油や水などの付着物がロールタオル５によって拭き取られ、付着物の飛散が防止されるとともに、飛散によるにおいの拡散を防止できる。また、外気取入設備２と排気設備３と遮へい板４を備えるだけで本換気装置１を構築でき、しかも、外気取入設備２や排気設備３を備えた既設の調理場には、遮へい板４を設けるだけで、本換気装置１を構築することが可能となり、業務用のみならず、家庭用の調理場などにも容易に適用、配設することが可能である。
【００４８】
（実施の形態２）
図５は、この実施の形態に係る調理場の換気装置１０を示す正面図であり、実施の形態１と同等の構成については、同一符号を付することで、その説明を省略する。以下の実施の形態３、４についても、同様とする。
【００４９】
この実施の形態では、遮へいシート（遮へい体）４が実施の形態１と異なる。この遮へいシート４は、透明（光透過性）で難燃性のシート、例えば、難燃ポリエステルシートで構成され、折り曲げ自在（変形自在）となっている。この遮へいシート４は、収納ボックス４４内に昇降（開閉）自在に配設されている。すなわち、基端部側が巻かれた状態で収納され、先端部（自由端部）側を引っ張ると遮へいシート４が展開され（開き）、任意の位置で離すと展開した状態が維持される。さらに、展開した状態から引っ張って離すと、遮へいシート４が収納ボックス４４内に巻き取られて収納される（閉じる）ようになっている。
【００５０】
また、図６に示すように、遮へいシート４の先端部には、幅方向に長孔状の係止孔４ａが幅方向に沿って複数形成され、調理台１００の前面１００ｂには、グリル１０２の上下側に、幅方向に沿って複数のフック４５が配設されている。そして、係止孔４ａをフック４５に係止させることで、遮へいシート４を固定できるようになっている。しかも、係止孔４ａが長孔状で、複数の係止孔４ａとフック４５とが配設されているため、突出したフライパンの取っ手などで遮へいシート４が変形しても、係止孔４ａをフック４５に係止させることができる。このように、この実施の形態では、係止孔４ａとフック４５との係止によって遮へいシート４を固定しているが、遮へいシート４の先端部に磁石を複数配設し、調理台１００の前面１００ｂを鉄板で構成して、磁力によって遮へいシート４を固定するようにしてもよい。
【００５１】
このような構成の遮へいシート４を備えた換気装置１０によれば、遮へいシート４が変形自在であるため、例えば、レンジ１０１からフライパンの取っ手などが突出している場合でも、取っ手に沿って遮へいシート４を変形させることで、加熱機器１０１、１０２の前面などを適切に遮へいすることができる。
【００５２】
（実施の形態３）
図７は、この実施の形態に係る調理場の換気装置２０を示す正面図である。この実施の形態では、遮へいシート（遮へい体）４が実施の形態１、２と異なる。この遮へいシート４は、透明で難燃性のシートで構成され、折り曲げ自在で、縦方向に複数折り曲げられ、アコーデオン状に形成されている。また、上端部がレール４６に係止され、レール４６に沿って左右動自在（開閉自在）になっている。このような遮へいシート４が、加熱機器１０１、１０２の前面の図中左側と右側にそれぞれ１体配設され、左側の遮へいシート４の左端部は固定され、右端部には磁石（図示せず）が取り付けられ、右側の遮へいシート４の右端部は固定され、左端部には磁石が取り付けられている。そして、左右の遮へいシート４を閉じて磁石で固定することで、加熱機器１０１、１０２の前面を遮断し、左右の遮へいシート４を開けることで、加熱機器１０１、１０２の操作などを行えるものである。
【００５３】
このような構成の遮へいシート４を備えた換気装置２０によれば、遮へいシート４がアコーデオン状に形成されているため、より変形が自在となり、加熱機器１０１、１０２側の状態などに応じて適切に遮へいすることが可能となる。例えば、図８に示すように、レンジ１０１からフライパンＰの取っ手Ｐ１などが突出している場合でも、取っ手Ｐ１に沿って遮へいシート４を十分に変形させることができ、加熱機器１０１、１０２の前面を適切に遮へいすることができる。
【００５４】
（実施の形態４）
図９は、この実施の形態に係る調理場の換気装置３０を示す側面図（一部断面）である。この実施の形態では、供給排出手段が、主として、レンジフード（フード）７と、給気ダクト（外気取入手段）８と、排気ダクト（排気手段）９と、ガイド板７１とから構成されている。
【００５５】
レンジフード（フード）７は、その開口７ａがレンジ１０１と対向するように、加熱機器１０１、１０２の上方に配設され、このレンジフード７の上端に、給気ダクト８の一端部と排気ダクト９の一端部とが接続されている。給気ダクト８の他端部は外気（大気）に臨んで配設され、給気ダクト８を介して外気が加熱機器１０１、１０２に向けて、後述の排気ファン９１の吸引作用で取り入れられるようになっている。また、排気ダクト９内の一端部側には排気ファン９１が配設され、他端部は外気に臨んで配設され、加熱機器１０１、１０２上部の空気が排気ダクト９を介して大気中（外部）に排出されるようになっている。
【００５６】
ガイド板７１は、レンジフード７内に配設され、給気ダクト８から供給された外気を加熱機器１０１、１０２の前面側に導いて、加熱機器１０１、１０２側の空気を排気ダクト９側に導くように形成されている。具体的には、レンジフード７の前面板７ｂとの間隔が、上部側で広く、下部側で狭くなるように、かつ空気の流れが滑らかになるように、形成されている。つまり、給気ダクト８からの外気を受ける上部側が広く、加熱機器１０１、１０２側からの空気を受ける下部側が広くなるように形成されている。
【００５７】
このような供給排出手段を備えた換気装置３０によれば、遮へいガラス（実施の形態１における遮へい板と同等の構成）４を閉じた状態では、図９に示すように、給気ダクト８から供給された外気がガイド板７１によって加熱機器１０１、１０２の前面側に導かれる。そして、加熱機器１０１、１０２側の空気がガイド板７１によって排気ダクト９側に導かれ、排気ダクト９によって外部に排出される。このようにして、遮へいガラス４を閉じた状態では、遮へいガラス４よりも加熱機器１０１、１０２側において空気の循環が行われ、調理空気をより効果的に遮断することができる。こうすることで、調理空気のレンジフード７外への漏洩を低減しながら、燃焼用空気をレンジフード７内に供給でき、かつこれを少風量で伝える。
【００５８】
さらに、図１０に示すように、レンジフード７の前面板７ｂの上部に、切換ダンパ７２を設けることもできる。この場合、切換ダンパ７２が起立したときに塞がる開口がレンジフード７に形成されている。換言すれば、切換ダンパ７２はレンジフード７内とレンジフード７外の室内空間を連通させ、または両空間を遮断する。この切換ダンパ７２は、下端部を中心に回動自在に配設され、切換ダンパ７２を垂直に位置させた状態（図中二点鎖線の状態）では、給気ダクト８から供給された外気をガイド板７１とともに加熱機器１０１、１０２の前面側に導く。また、切換ダンパ７２を横に倒した状態（図中破線の状態）では、ガイド板７１の流路を塞ぎ、給気ダクト８から供給された外気を室内側に導くようになっている。
【００５９】
また、図１０に示すように、切換ダンパ７２を倒し、遮へいガラス４を少し開けて正面下端が開放した状態では、レンジフード７の給気側上部と台所等の室内空間が連通状態となり、つまり、遮へいガラス４とレンジ１０１の台との間に隙間を設けた状態では、次のようになる。すなわち、レンジ１０１側の熱が遮へいガラス４で遮断されるとともに、給気ダクト８から室内側に流れた外気が、レンジフード７側に向かう傾いた偏向気流を形成し、遮へいガラス４とレンジ１０１の台との隙間からレンジ１０１側に給気される。また、切換ダンパ７２を倒し、給気手段としての給気ファン８１を稼動させることで、外気を室内側に導いて室内を外気によって冷房することができる。この際、給気ファン８１の風量（給気量）を排気ファン９１の風量（排気量）よりも若干多くする。これにより、取り込まれた外気がレンジフード７側に向かうとともに、外気の余剰分は、室内側に流入し、においや煙などを希釈しながら拡散する。なお、このような風量調整は、他の空調設備に対する影響を考慮し、春季や秋季の中間季などに行うことが望ましい。
【００６０】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、所定の条件で警報音を発するようにしているが、警報ランプを点滅させて警報を発するようにしてもよく、実施の形態１において、遮へい板４を観音開きのように開閉自在としてもよい。また、上記の実施の形態では、熱源がガスであるが、熱源が電気の場合、例えば、レンジ１０１がＩＨクッキングヒータの場合にも、適用できることは勿論である。
【産業上の利用可能性】
【００６１】
以上のように、この発明に係る調理場の換気装置は、調理による調理空気を効果的に遮断することが可能で、しかも構成が簡易な換気装置として極めて有用である。
【図面の簡単な説明】
【００６２】
【図１】この発明の実施の形態１に係る調理場の換気装置の正面図である。
【図２】図１の換気装置の左側面図（一部断面）である。
【図３】図１の換気装置のロールタオルの支持状態を示す正面図である。
【図４】図１の換気装置の安全設備の概略構成ブロック図である。
【図５】この発明の実施の形態２に係る調理場の換気装置の正面図である。
【図６】図５の換気装置の遮へいシートの固定方法を示す斜視図である。
【図７】この発明の実施の形態３に係る調理場の換気装置の正面図である。
【図８】図７の換気装置の遮へいシートを閉じた状態の一例を示す左側面図（一部断面）である。
【図９】この発明の実施の形態４に係る調理場の換気装置を示し、遮へいシートを閉じた状態を示す側面図（一部断面）である。
【図１０】図９の換気装置の切換ダンパの配設状態を示す側面図（一部断面）である。
【符号の説明】
【００６３】
１          調理場の換気装置
２          外気取入設備（外気取入手段、供給排出手段）
２１        ガラリ
２２        外気取入ケーシング
３          排気設備（排気手段、供給排出手段）
３１        レンジフード
３２        排気ケーシング
３３        排気ファン
４          遮へい板、遮へいシート（遮へい体）
５          ロールタオル（払拭体）
６          安全設備（警報手段、停止手段）
６１        タイマセンサ
６２        においセンサ
６３        温度センサ
６４        遮断弁
６５        スピーカ
７          レンジフード（フード）
７１        ガイド板
７２        切換ダンパ
８          給気ダクト（外気取入手段）
９          排気ダクト（排気手段）
１００      調理台
１０１      レンジ（加熱機器）
１０２      グリル（加熱機器）
【図１】
0005094357.tif 000002
【図２】
0005094357.tif 000003
【図３】
0005094357.tif 000004
【図４】
0005094357.tif 000005
【図５】
0005094357.tif 000006
【図６】
0005094357.tif 000007
【図７】
0005094357.tif 000008
【図８】
0005094357.tif 000009
【図９】
0005094357.tif 000010
【図１０】
0005094357.tif 000011